(57)【要約】【課題】リブによって剛性を効率よく確保しつつも、空力性能の向上に資することが可能なロアアブソーバを含んだ車両前部構造を提供する。【解決手段】車両前部構造１００は、フロントバンパ１０２と、フロントバンパ１０２の裏側下部にて車幅方向にわたって設置されるロアアブソーバ１１２とを備える。ロアアブソーバ１１２は、フロントバンパ１０２の裏側下部に配置されるアブソーバ前方部１１４と、アブソーバ前方部１１４から車両後方に連続するアブソーバ中間部１１６と、アブソーバ中間部１１６の上面に複数設けられる縦リブ１２２と、縦リブ１２２の車両前後方向の途中に設けられ縦リブ１２２から車幅方向両側に延びる横リブ１２４と、を有する。横リブ１２４は、車幅方向において隣の縦リブ１２２には到達しない。【選択図】図３
2015112952.tif 000002
【特許請求の範囲】
【請求項１】
フロントバンパと、該フロントバンパの裏側下部にて車幅方向にわたって設置されるロアアブソーバとを備える車両前部構造であって、
前記ロアアブソーバは、
前記フロントバンパの裏側下部に配置されるアブソーバ前方部と、
前記アブソーバ前方部から車両後方に連続し該アブソーバ前方部よりも車両前後方向に長いアブソーバ中間部と、
前記アブソーバ中間部の上面に車幅方向に複数設けられそれぞれ車両前後に延びる縦リブと、
前記縦リブの車両前後方向の途中に設けられ該縦リブから車幅方向両側に延びる横リブと、を有し、
前記横リブは、車幅方向において隣の縦リブには到達しない長さを有することを特徴とする車両前部構造。
【請求項２】
前記横リブは、車両前後方向において、隣の縦リブに設けられた横リブとは異なる位置に設けられることを特徴とする請求項１に記載の車両前部構造。
【請求項３】
前記ロアアブソーバはさらに、前記アブソーバ中間部から車両後方に連続するアブソーバ後方部を備え、
前記アブソーバ後方部の上面は、前記アブソーバ中間部の上面よりも高さが低いことを特徴とする請求項１または２に記載の車両前部構造。
【請求項４】
前記フロントバンパは、上下に延びる縦壁部分と、該縦壁部分の下部から車両後方へ延びる下端部分とを有し、
前記ロアアブソーバの前記アブソーバ前方部の下面は、前記フロントバンパの下端部分の上面に重なって設置され、
前記ロアアブソーバの前記アブソーバ中間部の下面は、前記アブソーバ前方部の下面から下方へ一段下がっていて前記フロントバンパの下端部分の下面と連続する高さになることを特徴とする請求項１から３のいずれか１項に記載の車両前部構造。
【発明の詳細な説明】
【技術分野】
【０００１】
本発明は、フロントバンパと、フロントバンパの裏側下部にて車幅方向にわたって設置されるロアアブソーバとを備える車両前部構造に関するものである。
【背景技術】
【０００２】
車両前部には、衝突時の衝撃を緩和するためにフロントバンパが備えられている。フロントバンパ（バンパフェイシアとも称する）は柔軟な素材によって形成されているが、過度に柔軟であると歩行者の下肢が車両の下に入り込んでしまうおそれがある。そこで車両との接触時に歩行者の下肢を保護するために、フロントバンパの裏側にはロアアブソーバが設けられることがある。これにより、車両前部の剛性が高まるため車両との接触時に歩行者の身体をボンネットの上等に払い上げることができ、脚部の角度変化を抑制して脚部への負荷の低減を図ることが可能になる。
【０００３】
近年では、車両の軽量化を考慮し、ロアアブソーバがアンダーカバー（フロントバンパ近傍の車両下面を覆う部材）としての役割も兼ねるような構造が採用されている。そのため、ロアアブソーバは、フロントバンパの裏側のほぼ車幅方向全域にわたる、比較的大きな部材となっている。
【０００４】
上述したように、ロアアブソーバは歩行者の下肢を払いあげる必要があるため十分な剛性を確保しなければならない。そのために、例えば特許文献１に記載されているように、ロアアブソーバの上面には、剛性確保のために複数のリブが設けられている。
【先行技術文献】
【特許文献】
【０００５】
【特許文献１】特開２０１１−２３５８５０号公報
【発明の概要】
【発明が解決しようとする課題】
【０００６】
特許文献１のロアアブソーバが有するリブは、ロアアブソーバの上面のほぼ全体にわたって格子状に設けられている。このロアアブソーバには、車両走行中においてフロントバンパ周辺の隙間から入り込んだ雨水が触れるおそれがある。その場合の対策として、特許文献１では、格子状のリブに囲われた面のそれぞれに水抜き穴を設けている。特許文献１では水抜き穴にはロアアブソーバの重量を軽減する役割もあるとされている。しかしながら、ロアアブソーバはアンダーカバーとして外気に触れる部位でもあり、水抜き穴を多数設ける構造は空力性能の面において好ましいものではない。
【０００７】
本発明では、このような課題に鑑み、リブによって剛性を効率よく確保しつつも、空力性能の向上に資することが可能なロアアブソーバを含んだ車両前部構造を提供することを目的とする。
【０００８】
上記課題を解決するために、本発明にかかる車体前部構造の代表的な構成は、フロントバンパと、フロントバンパの裏側下部にて車幅方向にわたって設置されるロアアブソーバとを備える車両前部構造であって、ロアアブソーバは、フロントバンパの裏側下部に配置されるアブソーバ前方部と、アブソーバ前方部から車両後方に連続しアブソーバ前方部よりも車両前後方向に長いアブソーバ中間部と、アブソーバ中間部の上面に車幅方向に複数設けられそれぞれ車両前後に延びる縦リブと、縦リブの車両前後方向の途中に設けられ縦リブから車幅方向両側に延びる横リブと、を有し、横リブは、車幅方向において隣の縦リブには到達しない長さを有することを特徴とする。
【０００９】
上記ロアアブソーバのアブソーバ中間部では、横リブが隣の縦リブには接続していない。そのため、例え走行中に雨水等が縦リブの間に流れ込んだとしても、その雨水は縦リブの間にとどまることなく風圧等によって車両後方へ排出される。したがって、アブソーバ中間部には排水孔を設ける必要がなく、排水孔を設けることによる空力性能の低下の心配はない。このように、上記車両前部構造では、簡潔な構成のロアアブソーバによって、空力性能を下げることなく剛性を確保することが可能になっている。
【００１０】
上記の横リブは、車両前後方向において、隣の縦リブに設けられた横リブとは異なる位置に設けられてもよい。隣り合う縦リブ同士で横リブを設ける位置を互いに異ならせることで、アブソーバ中間部の剛性を偏らせることなく高めることができる。
【００１１】
上記のロアアブソーバはさらに、アブソーバ中間部から車両後方に連続するアブソーバ後方部を備え、アブソーバ後方部の上面は、アブソーバ中間部の上面よりも高さが低くてもよい。このアブソーバ後方部であれば、前方のアブソーバ中間部からの雨水が流れ込みやすくなる。したがって、雨水の車両後方への排出がより行いやすくなる。
【００１２】
上記のフロントバンパは、上下に延びる縦壁部分と、縦壁部分の下部から車両後方へ延びる下端部分とを有し、ロアアブソーバのアブソーバ前方部の下面は、フロントバンパの下端部分の上面に重なって設置され、ロアアブソーバのアブソーバ中間部の下面は、アブソーバ前方部の下面から下方へ一段下がっていてフロントバンパの下端部分の下面と連続する高さになるとよい。
【００１３】
上記構成によればフロントバンパの下端部分の下面とアブソーバ中間部の下面とを連続させることで、走行中における空気抵抗を減らすことが可能になる。したがって、空力性能の向上に資することが可能である。
【発明の効果】
【００１４】
本発明によれば、リブによって剛性を効率よく確保しつつも、空力性能の向上に資することが可能なロアアブソーバを含んだ車両前部構造を提供することが可能になる。
【図面の簡単な説明】
【００１５】
【図１】本実施形態にかかる車両前部構造を示した図である。
【図２】図１（ａ）の車両前部構造を下方から見た図である。
【図３】図１（ｂ）のロアアブソーバを単独で示す図である。
【図４】図１（ｂ）のロアアブソーバのＣ−Ｃ断面をそれぞれ異なる方向から示した図である。
【発明を実施するための形態】
【００１６】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１７】
図１は、本実施形態にかかる車両前部構造１００を示した図である。図１（ａ）は、車両前部構造１００を前方から示した図である。図１（ａ）に示すように、車両前部構造１００には、フロントバンパ１０２が含まれている。フロントバンパ１０２は、バンパフェイシアとも呼ばれる車両外側の構造部材であり、車両前部にて車両の意匠を構成している。
【００１８】
フロントバンパ１０２は、例えば繊維強化プラスチックなど軽量で衝撃吸収性能の高い素材で形成されている。フロントバンパ１０２には照明取付部１０４のほか、上部にアッパグリル取付部１０６、および下部にロアグリル取付部１０８が設けられている。
【００１９】
図１（ｂ）は、図１（ａ）の車両前部構造１００をＡ−Ａ線で切断し、車両後方の上方から見た斜視図である。図１（ｂ）を参照すると、フロントバンパ１０２と、車幅方向に延びるロアクロスメンバ１１０との間に、ロアアブソーバ１１２が設置されていることが確認できる。ロアアブソーバ１１２は車両前部（特にフロントバンパ１０２の下部）の剛性を確保する部材であり、フロントバンパ１０２の裏側下部にて車幅方向にわたって設置されている。
【００２０】
当該車両前部構造１００では、ロアアブソーバ１１２を設けて剛性を確保することで、フロントバンパ１０２に歩行者が接触した場合に、歩行者の脚部を身体ごとボンネットの上へ払い上げることが可能になっている。このように、あえて歩行者を払い上げることで、歩行者の脚部に負荷が集中することを防ぎ、下肢を中心に歩行者の保護を図っている。
【００２１】
図２は図１（ａ）の車両前部構造１００を下方から見た図である。図２に示すように、ロアアブソーバ１１２は、フロントバンパ１０２よりも後方側に設けられる部材を覆うアンダーカバーとしての役割も兼ね備えている。このため、ロアアブソーバ１１２は、フロントバンパ１０２の裏側のほぼ全域に設置される、比較的大型の部材となっている。
【００２２】
図３は、図１（ｂ）のロアアブソーバ１１２を単独で示す図である。図３は、ロアアブソーバ１１２を上方から見て示している。ロアアブソーバ１１２には、上記目的が達成可能な剛性を確保するために、各種のリブが設けられている。
【００２３】
ロアアブソーバ１１２は、車両前方から大きく分けてアブソーバ前方部１１４、アブソーバ中間部１１６、およびアブソーバ後方部１１８の３つの部位に分けることができる。まず、車両前方のアブソーバ前方部１１４は、フロントバンパ１０２の裏側下部に配置される、アブソーバ中間部１１６等に比べて車両前後方向に狭い部位である。アブソーバ前方部１１４は、その上面に車幅方向にＸ字形状のクロスリブ１２０が複数設けられていて、高い剛性を保っている。
【００２４】
アブソーバ中間部１１６は、アブソーバ前方部１１４を車両後方から支えている部位である。アブソーバ中間部１１６は、アブソーバ前方部１１４よりも車両前後方向に長く、その上面には剛性確保のための縦リブ１２２および横リブ１２４が複数設けられている。
【００２５】
図３（ｂ）は、図３（ａ）のＢ−Ｂ断面図である。図３（ｂ）に示すように、縦リブ１２２は、車両前後方向に延びるリブである。この縦リブ１２２は、アブソーバ前方部１１４とアブソーバ中間部１１６との間にて車幅方向に延びている車幅リブ１２６を介して、クロスリブ１２０から連続して設けられている。この縦リブ１２２によって、アブソーバ中間部１１６は、クロスリブ１２０を有するアブソーバ前方部１１４を車両後方から好適に支えている。
【００２６】
図３（a）に示すように、縦リブ１２２には、車両前後方向の途中に横リブ１２４が設けられている。横リブ１２４は、縦リブ１２２の所定の箇所から車幅方向に延びているリブであり、縦リブ１２２の剛性をさらに向上させる機能を有している。
【００２７】
図４は、図１（ｂ）のロアアブソーバ１１２のＣ−Ｃ断面をそれぞれ異なる方向から示した図である。図４（ａ）はＣ−Ｃ断面におけるロアアブソーバ１１２の斜視図である。図４（a）に示すように、横リブ１２４は、車両前後方向において、隣の縦リブに設けられた横リブとは異なる位置に設けてもよい。隣り合う縦リブ１２２同士で横リブ１２４を設ける位置を互いに異ならせることで、アブソーバ中間部１１６の剛性を偏らせることなく向上させることができる。
【００２８】
図３（ａ）を再び参照する。横リブ１２４は、車幅方向において、隣の縦リブには到達しない長さに設定されている。そのため、例え走行中に雨水等が縦リブ１２２の間に流れ込んだとしても、雨水は縦リブ１２２の間にとどまることはなく、風圧等によって車両後方のアブソーバ後方部１１８へ排出される。
【００２９】
アブソーバ後方部１１８は、アブソーバ中間部１１６に連続して設けられている。アブソーバ後方部１１８は、上面に車両前後方向に延びるリブ１２８が設けられていて、大部分がロアクロスメンバ１１０（図１（ｂ）参照）の下側に配置される。
【００３０】
図４（ｂ）は、図１（ｂ）のロアアブソーバ１１２のＣ−Ｃ断面を車幅方向から見た図である。図４（ｂ）に示すように、アブソーバ後方部１１８の上面は、アブソーバ中間部１１６の上面よりも高さが低く設定されている。これは、ロアクロスメンバ１１０の配置スペースを確保し、また、前方のアブソーバ中間部１１６からの雨水を流れ込みやすくするためである。図３（ａ）に示すように、アブソーバ後方部１１８には排水孔１３０が複数設けられていて、アブソーバ中間部１１６から流れ込んだ雨水は排水孔１３０から排出される。
【００３１】
本実施形態では、アブソーバ中間部１１６には排水孔を設けていない。例えば、図２の車両前部構造１００を下方から見た図においても、排水孔１３０はアブソーバ後方部１１８のみ設けられていて、アブソーバ中間部１１６には設けられていないことが確認できる。
【００３２】
排水孔１３０は、構造的に、走行時における空気抵抗となるおそれがある。しかし、図４（ａ）に示すように、アブソーバ中間部１１６とアブソーバ後方部１１８との間には、エアダム１３２が設けられている。エアダム１３２は、走行中に車両下への空気の流入を抑える部材であり、揚力を低減する効果がある。このエアダム１３２によって、アブソーバ後方部１１８の排水孔１３０に空気が流入することは防がれている。
【００３３】
上述したように、アブソーバ中間部１１６（図２参照）はエアダム１３２よりも車両前方に位置しているが、アブソーバ中間部１１６には排水孔が存在していない。したがって、空力性能の低下の心配はない。仮に、アブソーバ中間部１１６に排水孔を設けた場合、その排水孔を覆う部位も必要になる。例えば、フロントバンパ１０２の下端部分１３４を車両後方に伸ばしてロアアブソーバ１１２のアブソーバ中間部１１６を覆うことなども考えられる。しかし、本実施形態ではその対策を取る必要はない。本実施形態では、アブソーバ前方部１１４（図３（ａ）参照）のクロスリブ１２０に囲まれた領域にも排水孔１３６が設けられていて、図２のフロントバンパ１０２の下端部分１３４はこの排水孔１３６を隠すようにアブソーバ前方部１１４を覆っている。しかしながら、下端部分１３４は、アブソーバ中間部１１６までは覆う必要がなく、車両前後に短い形状に設定されている。このことは、フロントバンパ１０２の重量増加を防ぐ作用もある。
【００３４】
空力性能を向上させる工夫は、他にも施されている。図４（ｂ）に示すように、フロントバンパ１０２は、上下に延びる縦壁部分１３８と、縦壁部分１３８の下部から車両後方へ延びる下端部分１３４とを有している。ロアアブソーバ１１２のアブソーバ前方部１１４の下面は、フロントバンパ１０２の下端部分１３４の上面に上から重なって設置される。このとき、ロアアブソーバ１１２のアブソーバ中間部１１６の下面１４０は、アブソーバ前方部１１４の下面から下方へ一段下がっていて、フロントバンパ１０２の下端部分１３４の下面１４２と連続する高さになる。
【００３５】
上記構成によればフロントバンパ１０２の下端部分１３４の下面１４２とアブソーバ中間部１１６の下面１４０とを連続させることで、走行中における空気抵抗を減らすことが可能になる。したがって、空力性能の向上に資することが可能である。
【００３６】
以上説明したように、当該車両前部構造１００では、ロアアブソーバ１１２のうちフロントバンパ１０２の裏側下部に配置されるアブソーバ前方部１１４にクロスリブ１２０を設けていて、アブソーバ前方部１１４が高い剛性に設定されている。そして、アブソーバ前方部１１４は、縦リブ１２２および横リブ１２４を有するアブソーバ中間部１１６によって車両後方から支えられている。このアブソーバ中間部１１６はアブソーバ前方部１１４よりも広い部位であり、アブソーバ中間部１１６の縦リブ１２２および横リブ１２４はアブソーバ前方部１１４のクロスリブ１２０に比べて構造が簡潔である。すなわち、上記のロアアブソーバ１１２は、フロントバンパ１０２の裏側下部に配置されるアブソーバ前方部１１４にて局所的に高い剛性を確保し、このアブソーバ前方部１１４を広く簡潔な構成のアブソーバ中間部１１６で支えている。このようにして、上記構成では、高い剛性を車両前方へ向かって効率よく発揮することが可能になっている。
【００３７】
またロアアブソーバ１１２のアブソーバ中間部１１６では、横リブ１２４が隣の縦リブに接続されていない。そのため、例え走行中に雨水等が縦リブ１２２の間に流れ込んだとしても、雨水は風圧等によって車両後方のアブソーバ後方部１１８へ排出される。したがって、アブソーバ中間部１１６には排水孔１３０等を設ける必要がなく、排水孔を設けることによる空力性能の低下の心配はない。また、このように、上記車両前部構造１００では、簡潔な構成のロアアブソーバ１１２によって、空力性能を下げることなく剛性を確保することが可能になっている。
【００３８】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００３９】
本発明は、フロントバンパと、フロントバンパの裏側下部にて車幅方向にわたって設置されるロアアブソーバとを備える車両前部構造に利用することができる。
【符号の説明】
【００４０】
１００…車両前部構造、１０２…フロントバンパ、１０４…照明取付部、１０６…アッパグリル取付部、１０８…ロアグリル取付部、１１０…ロアクロスメンバ、１１２…ロアアブソーバ、１１４…アブソーバ前方部、１１６…アブソーバ中間部、１１８…アブソーバ後方部、１２０…クロスリブ、１２２…縦リブ、１２４…横リブ、１２６…車幅リブ、１２８…アブソーバ後方部のリブ、１３０…排水孔、１３２…エアダム、１３４…フロントバンパの下端部分、１３６…アブソーバ前方部の排水孔、１３８…フロントバンパの縦壁部分、１４０…アブソーバ中間部の下面、１４２…フロントバンパの下端部分の下面
【図１】
2015112952.tif 000003
【図２】
2015112952.tif 000004
【図３】
2015112952.tif 000005
【図４】
2015112952.tif 000006